(57)【要約】      （修正有）【課題】平面図的形状の多様性、施された画像デザインとその材質の多様性、繰返し使用での耐久性、両面使用の便利性を満足するコースターを提供する。【解決手段】コップなどの下に敷くもので、繰返し使用と両面使用、又は、片面使用を意図し、両面使用の場合は上層、中層、および、下層のサンドイッチ式３層構成で、上層、及び、下層は透明プラスチック成形品で作成し、外側面上に水滴によるコップの吸着防止のため略中心部に凸レンズ状突起２を、また、周囲に沿って面積や平面図的形状に応じた複数個の塀状の突起１を排水機能を意図した間隔３を空けて設け、中層には所望のデザインを両面、又は、片面に印刷・プリントを施した１枚、又は、２枚の紙、プラスチックシート、又は、布で作成し、各層間の周辺部分を両面に接着剤を塗布し、外側形状に合わせて作成したリング形の紙、又は、プラスチックで相互に接着したもので、平面図形状が円、四角、五角、六角、八角、又は、直線と曲線の組み合わせで得られる。【選択図】図１
0003216334.tif 000002
【実用新案登録請求の範囲】
【請求項１】
本考案のコースターはコップやジョッキなどの下に敷くもので、繰返し使用と両面使用、または、片面使用を意図し、両面使用の場合は上層、中層、および、下層のサンドイッチ式３層構成で、上層、および、下層は透明プラスチック成形品で作成し、外側面上に水滴によるコップの吸着防止用に略中心部に凸レンズ状突起、また、周囲に沿って面積や平面図的形状に応じた複数個の塀状突起を排水用の間隔を空けて設け、中層には所望のデザインを両面に施した１枚の紙、プラスチック材、または、片面に施した２枚の布、などで作成し、各層間の周辺部分を両面に接着剤を塗布したリング状の紙で相互に接着したもので、片面使用の場合は中層には所望のデザインを片面に施した紙、プラスチック材、または、布を使用した、下層には上層と同じ形状の型抜きビニール、または、プラスチック材を使用した３層構成です。両面使用でも、片面使用でも平面図的形状が円、四角、五角、六角、八角、および、直線と曲線の組み合わせで得られる形状のコースター。
【請求項２】
請求項１による本考案のコースターの裏側面にオプション付属の安全ピンを取り付けて、コースター以外の目的、例えば、衣服、帽子、かばん、リュックサック、犬のリード綱、などに、アクセサリー、ワッペン、バッジ、目印、迷子札、反射板、などとして使用したり、その安全ピンにリボンや紐を通し、首に掛けて使用すること。
【考案の詳細な説明】
【技術分野】
【０００１】本考案は繰返し使用と両面使用、または、片面使用を意図し、平面図的形状デザイン、および、透明プラスチックを通して見える画像や材質の多様性を有するコースターで、裏側面に安全ピンを取り付けることでアクセサリー、ワッペン、バッジ、などへの転用ができるコースターに関するものです。
【背景技術】
【０００２】従来のコースターには繰返し使用、両面使用、および、画像デザインに関するものがあります（例えば、実用新案文献１、および、特許文献１、参照。）。
【先行技術文献】
【特許文献】
【０００３】
【特許文献１】特許第４１５４６４９号（Ｐ４１５４６４９）
【実用新案文献】
【０００４】
【実用新案文献】
実用新案登録第３１３８２４９号（Ｕ３１３８２４９）
【考案の概要】
【考案が解決しようとする課題】
【０００５】上記の実用新案によるコースターには平面図的デザインの多様化は限定され、また、上記の特許によるコースターには繰返し使用時の耐久性と両面使用について問題があり、また、コースターから他の用途への転用についての記述はなく、本考案はこれらの課題を解決するものです。
【課題を解決するための手段】
【０００６】本考案は上記の課題に対して、繰返し使用、および、両面使用、または、片面使用、所望の画像デザインへの対応、また、コースターから他の用途への転用、例えば、ワッペン、バッジ、など、に対応できるサンドイッチ式３層構成のコースターで、両面使用では３層の上層、および、下層は透明プラスチック成形品、中層は所望のデザインを両面に施した紙、プラスチック材、または、片面にデザインを施して、互いの裏面を貼り合わせた２枚の布で構成され、片面使用では、３層の上層は透明プラスチック成形品、中層は所望の画像デザインを片面に施した紙、プラスチック材、または、布で、下層は上層と同じ形状を型抜きしたビニール、または、プラスチック材で構成され、各層相互の周辺部分を両面に接着剤を塗布したリング状の紙で接着したもので、平面図的外形は円、四角、五角、六角、八角、および、直線と曲線とで構成される種々の形状が得られます。コースターから他の用途への転用、例えば、アクセサリー、ワッペン、バッジ、などに関しては、裏側面に安全ピンを取り付け、衣服、帽子、かばん、犬のリード綱、などに取り付けて、アクセサリー、ワッペン、バッジ、目印、迷子札、反射板などとしての使用を可能にしました。
【考案の効果】
【０００７】上述の様に、本考案のコースターは請求項１に関しては、平面形状、および、所望さる画像デザイン、および、繰返し使用、両面使用、または、片面使用することは容易に可能であり、請求項２に関しては、他の用途への転用は本考案のコースター裏面面にオプション付属の安全ピンを取り付けて、衣服、帽子、リュックサック、かばん、などにアクセサリー、ワッペン、バッジ、目印などとしての使用が可能です。
【図面の簡単な説明】
【０００８】
【図１】円形コースター平面図
【図２】図１のＡ−Ａ線断面に於ける３層の構成と接着部分を示す図
【図３】３本の直線と１本の曲線で構成された形状のコースター平面図
【図４】図３のＡ−Ａ線断面に於ける３層の構成と接着部分を示す図
【産業上の利用可能性】
【０００９】本考案によるコースターの特長である繰返し使用、両面使用、片面使用、多様な平面図的形状、中像に所望のデザインや種々の材質の使用、また、オプション付属の安全ピンを裏側面に取り付ければ、他の用途への転用、例えば、バッジ、ワッペン、などが可能なので、下記の１）から１２）で実現が可能です。また、本考案のコースターの入手者は帰宅後、コースターに乗せたコップやグラスで飲み物を賞味しながら、見聞・体験した事の余韻を楽しめば、それは脳裏に定着し、“また、行こう・しよう・買おう・作ろう”の気持ちを醸成させます。１）動物園、水族館、美術館、博物館、植物園、テーマパーク、プラネタリウム館、などでは、独自のデザインのコースターをお土産ショップ用品として使用が可能。２）劇場、各種ショウ、演芸場、音楽会、野球、相撲、サッカー、サーカス、などでは、夫々独自のデザインのコースターをお土産ショップ用品として使用が可能。３）レストラン、カフェ、バーなどで独自デザインのコースターを数種類用意し、日毎、週毎など周期的に替えれば、客は景品として持ち帰ることができ、家でコースターとして使用後はコレクシの対象にしたり、付属の安全ピンでワッペン、バッジなどに使用が可能。また、店では陶磁器のソーサーに代えて使用すれば、洗い・乾燥工程の節約やソーサーとグラスとの接触カチャ、カチャ雑音の解消が可能。４）クルーズ船・列車では、独自デザインのコースターを数種類用意し、食事毎に異なるデザインのものを使い分ければ、コレクションの対象としての使用が可能。５）旅行会社のバスツアーで画像に使用バスの正面・側面の塗装デザイン像を入れたものを乗客に渡せば、駐車場で自分のバスが容易に識別できる景品として使用が可能で、また、上記に加えて、運転手と添乗員の氏名も記載すれば、彼らの職業意識を高め、より安全・丁寧な仕事ぶりの発揮の期待が可能。また、旅行先ハイライトの画像を採り入れたコースターをお土産として販売も可能。６）少年野球、サッカーなどで賞状などを縮小コピーして中層として使用し、チーム全員に渡すことが可能。また，コースターの裏側面にオプション付属の安全ピンを取付けて、ひもを通せば、首掛けメダルとして使用が可能。７）マラソン大会で一定の距離間隔の地点にビデオカメラを設置し、走ってくるランナーのゼッケン番号が見える高い位置から連続撮影して、大会終了後に再生し、多数のゼッケン番号から事前申込みを受けた特定番号のランナー像を各地点での撮影画像から拾い出して、プリントした像を中層に使い、記念コースター・セットとして販売が可能。８）ビールメーカー、飲み物メーカーの販売促進用景品として使用が可能。９）伝統芸の芸人、お笑い芸人、歌謡ショウなどの共演会場で、個別の芸人・歌手の画像を入れたコースターを販売すれば、主催者は販売数からその会場での夫々の出演者の人気度の推定が可能。１０）上層、下層、および、リング状紙の両面に接着剤を塗布したものをセットにしてキット販売すれば、中層に自作画像・写真、コーヒー・ラテ画像、万華鏡画像、似顔絵、コラージュ、陶芸皿、または、布（ネクタイ、きもの地、帯地、刺繍、ブラウス、スカート、スカーフ、カット・クロス）、紙（千代紙、金唐紙、ラッピング・ペーパー）など、を使えば、マイコースターの製作が可能。１１）カラー塗装したマンホール蓋画像を中層に使えば、ご当地コースターの製作が可能。１２）上記の１）から１１）による本考案のコースターの裏側面にオプション付属の安全ピンを取り付ければ、衣服、帽子、かばん、リュックサック、犬のリード綱、などにアクセサリー、ワッペン、バッジ、目印、迷子札、反射板として使用が可能。
【図１】
0003216334.tif 000003
【図２】
0003216334.tif 000004
【図３】
0003216334.tif 000005
【図４】
0003216334.tif 000006
【手続補正書】
【提出日】平成29年11月18日(2017.11.18)
【手続補正１】
【補正対象書類名】実用新案登録請求の範囲
【補正対象項目名】請求項２
【補正方法】変更
【補正の内容】
【請求項２】
請求項１による本考案のコースターの裏側面にオプション付属の安全ピンを粘着テープで留めればコースター以外の目的に転用、例えば衣服、帽子、かばん、リュックサック、犬のリード、などに、アクセサリー、ワッペン、バッジ、目印、迷子札、反射板、などとして使用できる他、安全ピンのコスト、および、裏側面に留める手間をカットするために、請求項１のコースターに於ける上層と下層の共通位置にリボンを通すためのスリット形の孔を設ければ、首掛け式メダルやミニ賞状などとして使用可能です。上層と下層の共通位置にスリット形の孔を設けるために中層の画像を損なう円形の場合（図１参照）には形状の一部分を拡張してそれに充て、また、中層の画像を損なわぬ形の場合（図３参照）には曲線で囲まれた既存のスペースをそれに充てます。
【手続補正２】
【補正対象書類名】明細書
【補正対象項目名】０００１
【補正方法】変更
【補正の内容】
【０００１】      本考案のコースターは繰返し使用と両面使用、または、片面のみ使用を意図し、平面図的形、上層、または、下層の透明プラスチックを通して見える画像や材質の多様性に富むコースターで、それ以外の用途への転用としては、安全ピンで衣服などに取り付けてアクセサリー、バッジ、ワッペンなどとしての使用が可能な他、上層と下層の共通位置にリボンを通すスリット形の孔を設けて首掛け式メダルやミニ賞状としての使用が可能です。
【手続補正３】
【補正対象書類名】明細書
【補正対象項目名】０００６
【補正方法】変更
【補正の内容】
【０００６】      本考案によるコースターから他の用途への転用に関してはコースター裏側面にオプション付属品の安全ピンを取り付け、バッジ、ワッペン、などへの転用を、また、上層と下層の共通位置にスリット形の孔を設け、リボンを通して首掛け式メダル、ミニ賞状などへの転用を可能にしました。スリット形の孔は、例えば、図１に示す円形コースターでは上部を上方に拡張して達磨型に変形させて生じたスペースに、図３の形状では上部の曲線に囲まれた既存のスペースに設けます。他の形状のコースターでは中層のデザイン画像を損なわずにスリット形の孔のスペースを上記のように拡張して、または、既存のスペースを利用して設けます。
【手続補正４】
【補正対象書類名】明細書
【補正対象項目名】０００７
【補正方法】変更
【補正の内容】
【０００７】      上述の様に、本考案のコースターは請求項１に関しては、平面図的形状、および、所望される画像デザイン、および、繰返し使用、両面使用、または、片面のみ使用することは容易に可能であり、請求項２に関しては、他の用途への転用は本考案のコースター裏側面にオプション付属の安全ピンを接着して取り付け、衣服、帽子、リュックサック、かばん、などにアクセサリー、ワッペン、バッジ、目印などとしての使用が可能です。また、コースターの上層と下層の共通位置にリボンを通すためのスリット形の孔を設けて、首掛け式メダルやミニ賞状などとして使用が可能です。
【手続補正５】
【補正対象書類名】明細書
【補正対象項目名】０００９
【補正方法】変更
【補正の内容】
【０００９】      本考案によるコースターの特長である繰返し使用、両面使用、片面のみ使用、多様な平面図的形状、中層に設ける所望のデザイン画像や材質の選択可能、また、コースター以外の用途への転用が上記のように可能なので、本考案のコースターは転用の有無を含めて、下記の１）から１３）に於いて利用可能性があります。また、本考案のコースターを入手し、それを使ってコップやジョッキで飲み物を賞味しながら、見聞・体験してきた事の余韻を楽しめば、それは脳裏に定着し、“また、行こう、しよう、買おう、作ろう”の気持を醸成する効果を期待することが可能です。
１）動物園、水族館、美術館、博物館、植物園、テーマパーク、プラネタリウム館、などでは、独自のデザインコースターをお土産ショップ用品として利用が可能。
２）劇場、歌謡ショー、アイスショー、演芸場、音楽会、野球、相撲、サッカー、サーカス、などでは、独自のデザインのコースターをお土産ショップ用品として利用が可能。
３）レストラン、カフェ、バーなどで独自デザインコースターを数種類用意し、日毎、週毎など周期的に替えれば、客は景品として持ち帰り、コースターとして使用後はコレクションの対象とする利用が可能。また、店では陶磁器のソーサーに代えて使用すれば、洗い・乾燥工程の省力やソーサーとコップなどとの接触カチャ、カチャ雑音の解消が可能。
４）クルーズ船・列車では、独自デザインコースターを数種類用意し、食事・お茶の時間毎に異なるデザインのものを使えば、コレクションとしての利用が可能。
５）旅行会社のバスツアーで画像に使用バスの正面・側面の塗装デザイン像を入れたコースターを乗客に渡せば、駐車場で自分のバスが容易に識別できる景品としての利用が可能で、それに加えて、運転手と添乗員の氏名も記載すれば、彼らの職業意識を高めて、より安全・丁寧な仕事ぶりを期待することが可能。また、旅行先のハイライトの画像を入れたものを車内販売用品としての利用も可能。
６）各種の競技イベントなどで、首掛けメダルやオリジナルの賞状を縮小コピーして首掛けミニ賞状としてチーム全員に渡すことが可能。
７）マラソン大会で一定の距離間隔の地点にビデオカメラを設置し、走ってくるランナーの番号が見える高い位置からカメラで連続撮影して、大会中、または、終了後に再生し、多数のランナー番号から事前申込みを受けた特定番号のランナー像を各地点での撮影画像から拾い出して、プリントした画像を中層に使い、記念コースター・セットとして販売が可能。
８）ビールメーカー、飲み物メーカーの販売促進用景品、また、川上・川下関連企業を現すコースターとして利用が可能。
９）伝統芸の芸人、お笑い芸人、歌謡ショーなどの共演会場で、個別の芸人・歌手の画像を入れたコースターを販売すれば、主催者は販売数からその会場での夫々の出演者の人気度の推定が可能。
１０）コースターを２企業がタイアップして片面ずつシェアする例として、金融機関と融資先、鉄道と観光施設、川上・川下関係企業、などが可能。その関係を強調したい場合は、同一面を更にシェアすれば、４企業が関連したコースターが可能。
１１）上層、下層、および、両面に接着剤を塗布したリング状紙をキットにして販売すれば、中層に自作の画像・写真、カフェラテ画像、万華鏡画像、似顔絵、コラージュ、陶芸作品、料理、花、布（ネクタイ、着物地、帯地、刺繍、ブラウス、スカート、スカーフ、カット・クロス）、紙（千代紙、金唐紙、ラッピング紙）、などを使えば、マイコースターの製作が可能。この場合、中層のデザイン、配色、制作、全体の組み上げなど、一連の作業で脳や手先機能の維持・活性化が可能。
１２）カラー塗装マンホール画像のご当地コースターの製作が可能。
１３）上記の１）から１２）に於いて、本考案コースターの他の用途への転用として、裏側面に安全ピンを取り付ければ、衣服、帽子、リュックサック、かばん、犬のリード、などにアクセサリー、ワッペン、バッジ、目印、迷子札、反射板として取り付けが可能、また、上層と下層の共通位置にスリット形の孔を設けたものでは、孔にリボンを通して首掛け式目印として利用が可能。
【手続補正書】
【提出日】平成30年3月7日(2018.3.7)
【手続補正１】
【補正対象書類名】実用新案登録請求の範囲
【補正対象項目名】全文
【補正方法】変更
【補正の内容】
【実用新案登録請求の範囲】
【請求項１】
コースターはコップやジョッキなどの下に敷くもので、繰返し使用と両面使用、又は、片面使用を意図し、両面使用の場合は上層、中層、および、下層のサンドイッチ式３層構成で、上層、及び、下層は透明プラスチック成形品で作成し、外側面上に水滴によるコップの吸着防止のため略中心部に凸レンズ状突起を、また、周囲に沿って面積や平面図的形状に応じた複数個の塀状の突起を排水機能を意図した間隔を空けて設け、中層には所望のデザインを両面、又は、片面に印刷・プリントを施した１枚、又は、２枚の紙、プラスチックシート、又は、布で作成し、各層間の周辺部分を両面に接着剤を塗布し、コースターの外側形状に合わせて作成したリング形の紙、又は、プラスチックで相互に接着したもので、平面図形状が円、四角、五角、六角、八角、又は、直線と曲線の組み合わせで得られる形状のコースター。
【請求項２】
前記コースターの裏側表面にオプション付属の安全ピンを取り付けてアクセサリー、ワッペン、バッジ、目印、迷子札、反射板として衣服、帽子、かばん、リュックサック、犬のリード綱として使用可能である他、上記の安全ピンにリボン、又は、紐を通して首掛け式ミニメダル、又は、ミニ賞状として使用することが可能であることを特徴とする請求項１に記載のコースター。